(57)【要約】      （修正有）【課題】電力供給設備の電源品質管理のためにメモリーレコーダーの計測線を接続する場合に、操作部や試験端子部に比較的簡単に計測線接続用アダプターを取付けることができ、しかも、計測補助具などの収納スペースと、電力供給設備などの使用環境を適正に確保することのできる計測線接続用アダプターを提供する。【解決手段】このアダプターは、６ｋＶＭＣ（電力設備本体）操作部のカバー取付け座に固定する固定部１と固定部から前面に延設された計測線引込み口３と接続補助具などの収納スペースを有する箱体４および前記操作部カバーの取付け座２より一体形成されている。【選択図】図２
0003130212.tif 000002
【実用新案登録請求の範囲】
【請求項１】
鋼材を加工して６ｋＶＭＣ（電力設備本体）操作部の前面に取り付けて、メモリレコーダ用計測線の接続補助具などの収納スペースと６ｋＶＭＣ（電力設備本体）の適切な使用環境を確保するアダプターであり、
前記アダプター本体は、６ｋＶＭＣ（電力設備本体）操作部のカバーを取り外してその取付け座に固定する固定部と、固定部から前面に延設された計測線引込み口と接続補助具などの収納スペースを有する箱体と前記操作部カバーの取付け座により形成されており、特別な工具を使用しなくても短時間で取付け取外しできることを特徴とするメモリレコーダ計測線接続用アダプター。
【請求項２】
アルミ材を加工してバンク制御盤（配電盤）の計測端子部に取り付けて、メモリレコーダ用計測線の接続補助具などの収納スペースとバンク制御盤（配電盤）の適切な使用環境を確保するアダプターであり、
前記アダプター本体は、バンク制御盤（配電盤）計測端子部の小扉を取外して、その小扉受け折返し部に固定する取付金具類を内蔵した計測線引込み口と接続補助具などの収納スペースを有する箱体と扉より形成されており、特別な工具を使用しなくても短時間で取付け取外しできることを特徴とするメモリレコーダ計測線接続用アダプター。
【請求項３】
アダプター固定用金具として、取付け幅調整バーが設けられれている請求項２に記載のメモリレコーダ計測線接続用アダプター。
【請求項４】
アダプター固定部の固定用金具に蝶ねじが設けられている請求項２に記載のメモリレコーダ計測線接続用アダプター。
【考案の詳細な説明】
【技術分野】
【０００１】  本考案は、電気事業の電源品質管理のためのメモリーレコーダの計測線を電力設備本体や配電盤の試験用端子に接続する場合に、電力設備本体の操作部や配電盤の試験端子部に取付けることで計測線接続にともなう付帯作業の軽減と電力設備本体と配電盤の使用環境を適正に確保することができるメモリレコーダ計測線接続用アダプターに関するものである。
【背景技術】
【０００２】  従来メモリレコーダの計測線は、電力設備本体の操作部や配電盤の試験端子部の扉を開放して試験用端子に接続し、測定期間中は電力設備本体の操作部や配電盤の試験端子部の扉は常時開放となるためブルーシートなどで電力設備本体や配電盤を囲って風雨対策としていた。
【考案の開示】
【考案が解決しようとする課題】
【０００３】  従来、配電用変電所の電源品質を管理するため、臨時にメモリレコーダを取付けて送り出し電圧の波形観測を実施していたが、計測線接続補助具などの収納スーペースがないという問題があった。【０００４】  また、このため測定期間中は扉を閉じることができないことから電力設備本体や配電盤をブルーシートで覆い、仮の使用環境維持策としていたが必ずしも適切な使用環境を維持できないという問題もあった。【０００５】  この他、測定期間中においては仮の環境維持策点検のための現場出向作業や機器の操作時にはその都度ブルーシートの取外し再取付けが必要となるなど非効率な問題点があった。【０００６】  そこで、本考案は、上述した問題点に鑑み創出されたもので、メモリレコーダ用計測線を接続する場合に、簡単にアダプターを取付けて計測線接続時の付帯作業及び測定期間中における現場出向時の作業量を軽減するとともに、電力設備などの使用環境を適切に維持することのできるメモリレコーダ計測線接続用アダプターを提供するものである。
【課題を解決するための手段】
【０００７】  請求項１に記載するメモリレコーダ計測線接続用アダプターは、６ｋＶＭＣ操作部のカバーを取外してその取付け座に固定する固定部と、計測線引込み口と接続補助具などの収納スペースを有する箱体と前記操作部カバーの取付け座により形成されていることで、上述した問題を解決した。【０００８】  また、請求項２に記載するメモリレコーダ計測線接続用アダプターは、バンク制御盤試験端子部の小扉を外して、その子扉受け折返し部に固定する取付金具類を内蔵した計測線引込み口と接続補助具などの収納スペースを有する箱体と扉より形成されていることで、上述した問題を解決した。【０００９】  さらに、前記アダプターの固定用金具として、取付け幅調整バーが設けられれていることで多様性を付加した。【００１０】  また、前記アダプター固定部の取付金具に蝶ねじが設けられていることで作業性を向上させた。
【考案の効果】
【００１１】  請求項１に記載するメモリレコーダ計測線接続用アダプターは、６ｋＶＭＣ操作部のカバーを取り外してその取付け座に固定する固定部と、計測線引込み口と接続補助具などの収納スペースを有する箱体と前記操作部カバーの取付け座により形成されている【００１２】  また、請求項２に記載するメモリレコーダ計測線接続用アダプターは、バンク制御盤計測端子部の小扉を取外してその子扉受け折返し部に固定する取付金具類を内蔵した計測線引込み口と接続補助具などの収納スペースを有する箱体と扉より形成されている【００１３】  その結果、本考案を実施することで、電力設備本体や配電盤に改造を加えることなく、計測線の接続を短時間で行うことができる。【００１４】  さらに、電力設備本体や配電盤の仮の環境維持策設置の作業と計測期間中に発生する仮の環境維持策点検のための現場出向作業が不要となる。【００１５】  加えて、計測実施期間中において、機器操作時に派生する仮の環境維持策の取外し、取付け作業が不要となる。【００１６】  上述のように、電力設備本体や配電盤の側においても、メモリレコーダ用計測線接続後の計測期間中における適切な使用環境維持を可能とすることができるものである。
【考案を実施するための最良の形態】
【００１７】  以下に、本考案を実施するための最良の形態を、図面を参照して説明する。【００１８】  図１は本考案に係る請求項１に記載する６ｋＶＭＣ用アダプターの形態を示す外形図、図２は図１のアダプターの使用状態を示す電力設備の外形図、図３は請求項２に記載するバンク制御盤用アダプターの形態を示す外形図、図４は図３のアダプターの使用状態を示すバンク制御盤の外形図である。【００１９】  図１には、６ｋＶＭＣ用アダプターの外形が示されている。このアダプターは、６ｋＶＭＣ（電力設備本体）操作部のカバー取付け座に固定する固定部１と固定部から前面に延設された計測線引込み口３と接続補助具などの収納スペースを有する箱体４および前記操作部カバーの取付け座２より一体形成されている。【００２０】  このように構成された６ｋＶＭＣ用アダプターを使用する場合は、図２に示すように、先ず６ｋＶＭＣ（電力設備本体）操作部のカバー５を取外してその取付け座にアダプターの固定部１をボルトにて固定し、計測線引込み口３から計測線を引込んで試験端子に接続した後に、前面の６ｋＶＭＣ（電力設備本体）操作部のカバー取付け座２にカバーをボルトにて固定する。【００２１】  上述のように、このアダプターを使用することにより、６ｋＶＭＣ（電力設備本体）の使用環境を適正に維持することができるものである。【００２２】  図３には、バンク制御盤用アダプターの外形が示されている。このアダプターは、バンク制御盤（配電盤）試験端子部の小扉を取外してその小扉受け折返し部１０に固定する金具類７・８と、計測線引込み口９と接続補助具などの収納スペースを有する箱体６と扉より形成されている。【００２３】  このように構成されたバンク制御盤用アダプターを使用する場合は、図４に示すように、先ずバンク制御盤（配電盤）試験端子部の小扉を取外してその小扉受け折り返し部９に請求項３に記載する取付け幅調整バー７と請求項４に記載する固定用金具８にてアダプターを固定し、計測線引込み口９から計測線を引込んで試験端子に接続する。【００２４】  上述のように、このアダプターを使用することにより、バンク制御盤（配電盤）の使用環境を適正に維持することができるものである。【００２５】  また、取付け幅調整バー７の採用により、バンク制御盤の製作者により異なる小扉の大きさにも対応可能となり、広く利用できるものである。
【図面の簡単な説明】
【００２６】
【図１】本考案に係る６ｋＶＭＣ用アダプターの形態を示す外形図である。
【図２】図１のアダプターの使用状態を示す電力設備の外形図である。
【図３】本考案のバンク制御盤用アダプターの形態を示す外形図である。
【図４】図３のアダプターの使用状態を示すバンク制御盤の外形図である。
【符号の説明】
【００２７】  １      ６ｋＶＭＣ用アダプター固定部
２      ６ｋＶＭＣ用アダプター操作部カバー取付け座
３      計測線引込み口
４      ６ｋＶＭＣ用アダプター箱体
５      ６ｋＶＭＣ操作部カバー
６      バンク制御盤用アダプター箱体
７      バンク制御盤用アダプター固定用取付け幅調整バー
８      バンク制御盤用アダプター固定用金具
９      計測線引込み口
１０      バンク制御盤小扉受け折返し部
１１      バンク制御盤本体扉
【図１】
0003130212.tif 000003
【図２】
0003130212.tif 000004
【図３】
0003130212.tif 000005
【図４】
0003130212.tif 000006
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
鋼材を加工して６ｋＶＭＣ即ち電力設備本体操作部の前面に取り付けて、メモリレコーダ用計測線の接続補助具などの収納スペースと６ｋＶＭＣ即ち電力設備本体の適切な使用環境を確保するアダプターであり、
前記アダプター本体は、６ｋＶＭＣ即ち電力設備本体操作部のカバーを取り外してその取付け座に固定する固定部と、固定部から前面に延設された計測線引込み口と接続補助具などの収納スペースを有する箱体と前記操作部カバーの取付け座により形成されており、特別な工具を使用しなくても短時間で取付け取外しできることを特徴とするメモリレコーダ計測線接続用アダプター。
【請求項２】
アルミ材を加工してバンク制御盤即ち配電盤の計測端子部に取り付けて、メモリレコーダ用計測線の接続補助具などの収納スペースとバンク制御盤即ち配電盤の適切な使用環境を確保するアダプターであり、
前記アダプター本体は、バンク制御盤即ち配電盤計測端子部の小扉を取外して、その小扉受け折返し部に固定する取付金具類を内蔵した計測線引込み口と接続補助具などの収納スペースを有する箱体と扉より形成されており、特別な工具を使用しなくても短時間で取付け取外しできることを特徴とするメモリレコーダ計測線接続用アダプター。
【請求項３】
アダプター固定用金具として、取付け幅調整バーが設けられている請求項２に記載のメモリレコーダ計測線接続用アダプター。
【請求項４】
アダプター固定部の固定用金具に蝶ねじが設けられている請求項２に記載のメモリレコーダ計測線接続用アダプター。
【手続補正２】
【補正対象書類名】明細書
【補正対象項目名】全文
【補正方法】変更
【補正の内容】
【考案の詳細な説明】
【技術分野】
【０００１】  本考案は、電気事業の電源品質管理のためのメモリーレコーダの計測線を６ｋＶＭＣ即ち電力設備本体の操作部やバンク制御盤即ち配電盤の試験用端子に接続する場合に、６ｋＶＭＣ即ち電力設備本体の操作部やバンク制御盤即ち配電盤の試験端子部に取付けることで計測線接続にともなう付帯作業の軽減と６ｋＶＭＣ即ち電力設備本体とバンク制御盤即ち配電盤の使用環境を適正に確保することができるメモリレコーダ計測線接続用アダプターに関するものである。
【背景技術】
【０００２】  従来メモリレコーダの計測線は、６ｋＶＭＣ即ち電力設備本体の操作部やバンク制御盤即ち配電盤の試験端子部の扉を開放して試験用端子に接続し、測定期間中は６ｋＶＭＣ即ち電力設備本体の操作部やバンク制御盤即ち配電盤の試験端子部の扉は常時開放となるためブルーシートなどで６ｋＶＭＣ即ち電力設備本体やバンク制御盤即ち配電盤を囲って風雨対策としていた。
【考案の開示】
【考案が解決しようとする課題】
【０００３】  従来、配電用変電所の電源品質を管理するため、臨時にメモリレコーダを取付けて送り出し電圧の波形観測を実施していたが、計測線接続補助具などの収納スーペースがないという問題があった。【０００４】  また、このため測定期間中は６ｋＶＭＣ即ち電力設備本体操作部やバンク制御盤即ち配電盤試験端子部の扉を閉じることができないことから６ｋＶＭＣ即ち電力設備本体やバンク制御盤即ち配電盤をブルーシートで覆い、仮の使用環境維持策としていたが必ずしも適切な使用環境を維持できないという問題もあった。【０００５】  この他、測定期間中においては仮の環境維持策点検のための現場出向作業や機器の操作時にはその都度ブルーシートの取外し再取付けが必要となるなど非効率な問題点があった。【０００６】  そこで、本考案は、上述した問題点に鑑み創出されたもので、メモリレコーダ用計測線を接続する場合に、簡単にアダプターを取付けて計測線接続時の付帯作業及び測定期間中における現場出向時の作業量を軽減するとともに、電力設備などの使用環境を適切に維持することのできるメモリレコーダ計測線接続用アダプターを提供するものである。
【課題を解決するための手段】
【０００７】  請求項１に記載するメモリレコーダ計測線接続用アダプターは、６ｋＶＭＣ即ち電力設備本体操作部のカバーを取外してその取付け座に固定する固定部と、計測線引込み口と接続補助具などの収納スペースを有する箱体と前記操作部カバーの取付け座により形成されていることで、上述した問題を解決した。【０００８】  また、請求項２に記載するメモリレコーダ計測線接続用アダプターは、バンク制御盤即ち配電盤試験端子部の小扉を外して、その小扉受け折返し部に固定する取付金具類を内蔵した計測線引込み口と接続補助具などの収納スペースを有する箱体と扉より形成されていることで、上述した問題を解決した。【０００９】  さらに、前記アダプターの固定用金具として、取付け幅調整バーが設けられれていることで多様性を付加した。【００１０】  また、前記アダプター固定部の取付金具に蝶ねじが設けられていることで作業性を向上させた。
【考案の効果】
【００１１】  請求項１に記載するメモリレコーダ計測線接続用アダプターは、６ｋＶＭＣ即ち電力設備本体操作部のカバーを取り外してその取付け座に固定する固定部と、計測線引込み口と接続補助具などの収納スペースを有する箱体と前記操作部カバーの取付け座により形成されている【００１２】  また、請求項２に記載するメモリレコーダ計測線接続用アダプターは、バンク制御盤即ち配電盤計測端子部の小扉を取外してその小扉受け折返し部に固定する取付金具類を内蔵した計測線引込み口と接続補助具などの収納スペースを有する箱体と扉より形成されている【００１３】  その結果、本考案を実施することで、６ｋＶＭＣ即ち電力設備本体やバンク制御盤即ち配電盤に改造を加えることなく、計測線の接続を短時間で行うことができる。【００１４】  さらに、６ｋＶＭＣ即ち電力設備本体やバンク制御盤即ち配電盤の仮の環境維持策設置の作業と計測期間中に発生する仮の環境維持策点検のための現場出向作業が不要となる。【００１５】  加えて、計測実施期間中において、機器操作時に派生する仮の環境維持策の取外し、取付け作業が不要となる。【００１６】  上述のように、６ｋＶＭＣ即ち電力設備本体やバンク制御盤即ち配電盤の側においても、メモリレコーダ用計測線接続後の計測期間中における適切な使用環境維持を可能とすることができるものである。
【考案を実施するための最良の形態】
【００１７】  以下に、本考案を実施するための最良の形態を、図面を参照して説明する。【００１８】  図１は本考案に係る請求項１に記載する６ｋＶＭＣ即ち電力設備本体用アダプターの形態を示す外形図、図２は図１のアダプターの使用状態を示す６ｋＶＭＣ即ち電力設備本体の外形図、図３は請求項２に記載するバンク制御盤即ち配電盤用アダプターの形態を示す外形図、図４は図３のアダプターの使用状態を示すバンク制御盤即ち配電盤の外形図である。【００１９】  図１には、６ｋＶＭＣ即ち電力設備本体用アダプターの外形が示されている。このアダプターは、６ｋＶＭＣ即ち電力設備本体操作部のカバー取付け座に固定する固定部１と固定部から前面に延設された計測線引込み口３と接続補助具などの収納スペースを有する箱体４および前記操作部カバーの取付け座２より一体形成されている。【００２０】  このように構成された６ｋＶＭＣ即ち電力設備本体用アダプターを使用する場合は、図２に示すように、先ず６ｋＶＭＣ即ち電力設備本体操作部のカバー５を取外してその取付け座にアダプターの固定部１をボルトにて固定し、計測線引込み口３から計測線を引込んで試験端子に接続した後に、前面の６ｋＶＭＣ即ち電力設備本体操作部のカバー取付け座２にカバーをボルトにて固定する。【００２１】  上述のように、このアダプターを使用することにより、６ｋＶＭＣ即ち電力設備本体の使用環境を適正に維持することができるものである。【００２２】  図３には、バンク制御盤即ち配電盤用アダプターの外形が示されている。このアダプターは、バンク制御盤即ち配電盤試験端子部の小扉を取外してその小扉受け折返し部１０に固定する金具類７・８と、計測線引込み口９と接続補助具などの収納スペースを有する箱体６と扉より形成されている。【００２３】  このように構成されたバンク制御盤即ち配電盤用アダプターを使用する場合は、図４に示すように、先ずバンク制御盤即ち配電盤試験端子部の小扉を取外してその小扉受け折り返し部９に請求項３に記載する取付け幅調整バー７と請求項４に記載する固定用金具８にてアダプターを固定し、計測線引込み口９から計測線を引込んで試験端子に接続する。【００２４】  上述のように、このアダプターを使用することにより、バンク制御盤即ち配電盤の使用環境を適正に維持することができるものである。【００２５】  また、取付け幅調整バー７の採用により、バンク制御盤即ち配電盤の製作者により異なる小扉の大きさにも対応可能となり、広く利用できるものである。
【図面の簡単な説明】
【００２６】
【図１】本考案に係る６ｋＶＭＣ用アダプターの形態を示す外形図である。
【図２】図１のアダプターの使用状態を示す６ｋＶＭＣの外形図である。
【図３】本考案のバンク制御盤用アダプターの形態を示す外形図である。
【図４】図３のアダプターの使用状態を示すバンク制御盤の外形図である。
【符号の説明】
【００２７】      １      ６ｋＶＭＣ用アダプター固定部
２      ６ｋＶＭＣ用アダプター操作部カバー取付け座
３      計測線引込み口
４      ６ｋＶＭＣ用アダプター箱体
５      ６ｋＶＭＣ操作部カバー
６      バンク制御盤用アダプター箱体
７      バンク制御盤用アダプター固定用取付け幅調整バー
８      バンク制御盤用アダプター固定用金具
９      計測線引込み口
１０      バンク制御盤小扉受け折返し部
１１      バンク制御盤本体扉
【手続補正３】
【補正対象書類名】図面
【補正対象項目名】全図
【補正方法】変更
【補正の内容】
【図１】
0003130212.tif 000007
【図２】
0003130212.tif 000008
【図３】
0003130212.tif 000009
【図４】
0003130212.tif 000010